(57)【要約】【課題】着用者の体型に合わせて胸部の補正が可能であり、簡単に着用できる女性用下着を提供する。【解決手段】着用者の胸部を補正する胸補正部１１を有する女性用下着１であって、胸補正部は、胸部前側を覆う胸被覆部１２と、胸被覆部の左右上部から背中側に廻り込むように形成され、左右の肩に掛けられる左肩部１３Ｌ及び右肩部１３Ｒと、胸被覆部の左側部から略左側方に延びる略帯状の左巻き部１４Ｌと、胸被覆部の右側部から略右側方に延びる略帯状の右巻き部１４Ｒと、左肩部及び右肩部の各先端部を背中側で連結する背連結部１５と、を備え、背連結部は、左巻き部と右巻き部とを背中に廻した際に、その少なくともどちらか一方が着脱可能に係合する係合部５１，５３を有し、左巻き部と右巻き部は、背中側から胸部前側に廻されて、胸部を巻き締めるように廻り長さを調節して固定される。【選択図】図３
2018123440.tif 000002
【特許請求の範囲】
【請求項１】
着用者の胸部を補正する胸補正部を有する女性用下着であって、
前記胸補正部は、
左右の乳房を含む胸部前側を覆う胸被覆部と、
前記胸被覆部の左上部から背中側に廻り込むように形成され、左肩に掛けられる左肩部と、
前記胸被覆部の右上部から背中側に廻り込むように形成され、右肩に掛けられる右肩部と、
前記胸被覆部の左側部から略左側方に延びる略帯状の左巻き部と、
前記胸被覆部の右側部から略右側方に延びる略帯状の右巻き部と、
前記左肩部の先端部と前記右肩部の先端部とを背中側で連結する背連結部と、を備え、
前記背連結部は、前記左巻き部と前記右巻き部とを背中に廻した際に、その少なくともどちらか一方が着脱可能に係合する係合部を有し、
前記左巻き部と前記右巻き部は、背中側から胸部前側に廻されて、胸部を巻き締めるように廻り長さを調節して固定されるように構成した、ことを特徴とする女性用下着。
【請求項２】
前記左巻き部及び前記右巻き部には、背中側で交差させるために交差部が形成されており、
前記交差部の幅は、前記胸被覆部側の基端部の幅よりも小さくなるように形成されている、ことを特徴とする請求項１に記載の女性用下着。
【請求項３】
前記係合部は、左巻き部又は／及び右巻き部が挿通される通し孔を有し、
前記通し孔は、前記交差部の幅よりも大きくなるように形成されている、ことを特徴する請求項２に記載の女性用下着。
【請求項４】
前記背連結部は、前記左巻き部と前記右巻き部のどちらか一方を通すための第１通し孔を有する第１通し部と、他方を通すための第２通し孔を有する第２通し部と、を備え、
前記第１通し部は、前記背連結部の表面側に設けられ、
前記第２通し部は、前記背連結部の裏面側に設けられた、ことを特徴とする請求項１乃至３のいずれか1つに記載の女性用下着。
【請求項５】
前記背連結部は、その下端側に下方に突出する引き手部が設けられている、ことを特徴とする請求項１乃至４のいずれか１つに記載の女性用下着。
【請求項６】
裾の絡まりを防ぐ裾除け部と、
前記裾除け部と前記胸補正部とを繋ぐ接続部と、を備え、
前記裾除け部及び前記接続部は、その片側部に、着用する際に身体を差し入れるための開き部が設けられている、ことを特徴とする請求項１乃至５のいずれか１つに記載の女性用下着。
【請求項７】
前記接続部は、
前記裾除け部と前記胸補正部の胸被覆部とを繋ぐ前接続部と、
前記裾除け部と前記胸補正部の背連結部とを繋ぐ後接続部と、を有し、
前記前接続部は上下方向においてくびれを有するように形成された、ことを特徴とする請求項６に記載の女性用下着。
【請求項８】
前記裾除け部は、巻きスカート状に形成されており、着用する際に合わせられる下前部と上前部とを備え、
前記下前部は、前記上前部よりも幅の狭い略矩形状の合わせ部と、該合わせ部の側端部にその側方に突出するように設けられる開き止め部と、を有し、
前記開き止め部は、前記合わせ部の褄先側が開くのを妨げるために、その先端側が係着手段により着脱可能に係止されるように構成された、ことを特徴とする請求項６又は７に記載の女性用下着。
【請求項９】
前記開き止め部は、略三角形状、略台形状又は略紐状である、ことを特徴とする請求項８に記載の女性用下着。
【発明の詳細な説明】
【技術分野】
【０００１】
本発明は、服（和服や洋服や民族服など）を着る際に、上着や中着の下に着用される女性用下着に関し、特に、容易に着用でき、服の着姿を美しく見せることができる女性用下着に関する。
【背景技術】
【０００２】
従来、留袖や振袖などの和服を着る前には、その下準備として、肌着である肌襦袢と裾よけを身に付け、その上に半襟の付いた長襦袢を着る。和服の身頃は反物を幅方向に裁断した生地から仕立てられているため、和服や帯のヨレを防ぎ、美しい着姿に仕上げるためには、身体のラインの凹凸をなくして寸胴となるように整える必要があった。そのため、例えば、胸の膨らみが強調されることのないように、普段着用するブラジャー（詳細は後述）を外してサラシで押さえたり、胴周りにタオルを巻いて紐で結び留めたり、鎖骨下（胸上のくぼみ）部分に脱脂綿などを置いて厚みを持たせるなどして、体型の補正が行われていた。補正を加えておくことにより、着崩れを防ぐこともできた。
【０００３】
しかしながら、このような補正は、着用者の体型に合わせて行う必要があり、和服を着慣れていない初心者には、どこをどのように補正すればよいのかの判断が難しかった。また、補正には、タオルや紐などを多用するため、準備が面倒であり時間も掛かるので、和服を気軽に着ることができなかった。さらに、補正箇所や補正方法を間違えると、息苦しく感じるなど着心地が悪くなってしまうこともあった。
【０００４】
ところで、和服の中でも浴衣は、湯上りに直接素肌に着るものであったが、近年では生地やデザインなど種々のものが外出着として市場に多数出回っている。このような浴衣を着る際には、着姿を美しく見せるため、また、生地や色の薄いものなどでは透けを防ぐため、浴衣の下であっても下着を着けることが多くなっている。
【０００５】
このような状況から、着用者が自身で容易に着用できる様々な和装用の下着が提案されている。胸部を補正するものとして、例えば、特許文献１の登録実用新案第３０１７２１３号の「補正着兼肌じゅばん」には、バストを押さえるための切替部分を設けるとともに、補正用パットを入れるポケットを肩下部分等に設けたものが提案されている。バストを切替により押さえ、肩下部分等に設けたポケットに補正用パットを入れることにより補正して、着くずれがなく、開閉ファスナーで楽に脱ぎ着ができるようにしたものである。
【０００６】
また、特許文献２の特開２０１５−４０３５１号の「和装用胸部補正衣」は、貫頭穴のある身頃のうち後ろ身頃を身体後ろ側に定着するための定着手段と、前記身頃のうち前身頃から左方に巾出しされており、前記身体左側から前記身体後ろ側を経て前記身体右側へ胸周りに巻き回すための前付き左側巻き布と、前記前身頃から右方に巾出しされており、前記身体右側から前記身体後ろ側を経て前記身体左側へ胸周りに巻き回すための前付き右側巻き布と、前記前付き左側巻き布から左方に巾出しされており、胸部右側を左方へ歪ませるための右側胸当て布と、前記前付き右巻き布から右方に巾出しされており、胸部左側を右方へ歪ませるための左側胸当て布と、前記右側胸当て布と前記左側胸当て布とを胸中央で相互連結するための当て布留め手段を有するものである。この和装用胸部補正衣によれば、バストの谷間を平らに覆い、胸幅を狭めることができる。
【０００７】
洋服など、和服以外の服を着る際に着用する洋装用のブラジャー（普段着用するブラジャー）には様々なものがあるが、乳房を包む略お椀状のカップと、背中側や胸部前側にホックを有するベルトなどを備えており、カップにより乳房の形状を整える構成となっている。また、ホックのない、スポーツ用のブラジャーなどでは、頭からかぶることができるように構成されており、略全体に伸縮性のある素材が使用されている。
【先行技術文献】
【特許文献】
【０００８】
【特許文献１】登録実用新案第３０１７２１３号公報
【特許文献２】特開２０１５−４０３５１号公報
【発明の概要】
【発明が解決しようとする課題】
【０００９】
しかし、洋装用のブラジャーでは、上述のような構成により胸の膨らみが大きい場合には、それを十分に押さえるように補正することができなかった。
また、和装用の下着においても、特許文献１に記載の「補正着兼肌じゅばん」では、当該補正着兼肌じゅばんに身体が合わない場合には、開閉ファスナーを閉じることができなかったり、身体にフィットせずに浮いてしまい補正効果が薄れてしまったりするという問題があった。また、前かがみになった際に開閉ファスナーが歪み、表布（着物や浴衣）にひびいてしまうことがあった。
【００１０】
特許文献２に記載の「和装用胸部補正衣」では、サラシと同様の効果を得るために、帯状布により巻き締めるものであるが、右巻き布に縦スリットを設けて左右の巻き布及び胸当て布を引っ張るため、縦スリットが開いてしまい補正の効果が得られなかった。また、縦スリットを設けた箇所が破けてしまう虞があり、強度の面でも問題があった。
【００１１】
本発明は上述のような問題点を解決するために創案されたものである。すなわち、本発明の目的は、着用者の体型に合わせて簡単に胸部の補正ができる女性用下着を提供することにある。
【課題を解決するための手段】
【００１２】
本発明は、着用者の胸部を補正する胸補正部（１１）を有する女性用下着（１）であって、
前記胸補正部は、
左右の乳房を含む胸部前側を覆う胸被覆部（１２）と、
前記胸被覆部の左上部から背中側に廻り込むように形成され、左肩に掛けられる左肩部（１３Ｌ）と、
前記胸被覆部の右上部から背中側に廻り込むように形成され、右肩に掛けられる右肩部（１３Ｒ）と、
前記胸被覆部の左側部から略左側方に延びる略帯状の左巻き部（１４Ｌ）と、
前記胸被覆部の右側部から略右側方に延びる略帯状の右巻き部（１４Ｒ）と、
前記左肩部の先端部と前記右肩部の先端部とを背中側で連結する背連結部（１５）と、を備え、
前記背連結部は、前記左巻き部と前記右巻き部とを背中に廻した際に、その少なくともどちらか一方が着脱可能に係合する係合部（５１，５３）を有し、
前記左巻き部と前記右巻き部は、背中側から胸部前側に廻されて、胸部を巻き締めるように廻り長さを調節して固定されるように構成した、ことを特徴とする。
【００１３】
前記左巻き部（１４Ｌ）及び前記右巻き部（１４Ｒ）には、背中側で交差させるために交差部（４２）が形成されており、
前記交差部の幅は、前記胸被覆部（１２）側の基端部（４１）の幅よりも小さくなるように形成してもよい。
また、前記係合部（５１，５３）は、左巻き部（１４Ｌ）又は／及び右巻き部（１４Ｒ）が挿通される通し孔（５２，５４）を有し、
前記通し孔の幅は、前記交差部（４２）の幅よりも大きくなるように形成することもできる。
さらに、前記背連結部（１５）は、前記左巻き部（１４Ｌ）と前記右巻き部（１４Ｒ）のどちらか一方を通すための第１通し孔（５２）を有する第１通し部（５１）と、他方を通すための第２通し孔（５４）を有する第２通し部（５３）と、を備え、
前記第１通し部は、前記背連結部の表面側に設けられ、
前記第２通し部は、前記背連結部の裏面側に設けられてもよい。
また、前記背連結部（１５）は、その下端側に下方に突出する引き手部（７１）が設けられることも好ましい。
【００１４】
裾の絡まりを防ぐ裾除け部（１８）と、
前記裾除け部と前記胸補正部（１１）とを繋ぐ接続部（１６，１７）と、を備え、
前記裾除け部及び前記接続部は、その片側部に、着用する際に身体を差し入れるための開き部（Ｙ，Ｚ）が設けられてもよい。
また、前記接続部（１６，１７）は、
前記裾除け部（１８）と前記胸補正部（１１）の胸被覆部（１２）とを繋ぐ前接続部（１６）と、
前記裾除け部（１８）と前記胸補正部（１１）の背連結部（１５）とを繋ぐ後接続部（１７）と、を有し、
前記前接続部は上下方向においてくびれ（６１）を有するように形成することもできる。
さらに、前記裾除け部（１８）は、巻きスカート状に形成されており、着用する際に合わせられる下前部（８１）と上前部（８３）とを備え、
前記下前部は、前記上前部よりも幅の狭い略矩形状の合わせ部（８１ｘ）と、該合わせ部の側端部にその側方に突出するように設けられる開き止め部（８１ｙ）と、を有し、
前記開き止め部は、前記合わせ部の褄先側が開くのを妨げるために、その先端側が係着手段（６２Ｌ，８２Ｌ）により着脱可能に係止されるように構成してもよい。
前記開き止め部（８１ｙ）は、略三角形状、略台形状又は略紐状とすることが好ましい。
なお、これらの手段について、実施例で示した構成要素との対応（符号）を明示しているが、明示した構成に限定されず、発明の要旨を逸脱しない範囲で種々変更が可能である。
【発明の効果】
【００１５】
本発明の女性用下着によれば、胸部前側を覆う胸被覆部の両側部からそれぞれ略側方に延びる略帯状の巻き部の少なくともどちらか一方を、左右の肩に掛けられる両肩部を連結する背連結部に係合させて、両巻き部を背中側から胸部前側に廻して、胸部を巻き締めるように廻り長さを調節して固定する構成とすることにより、着用者が自身の体型に合わせて簡単に胸部を補正することができる。
【図面の簡単な説明】
【００１６】
【図１】女性用下着を拡げた状態を示す表面図である。
【図２】女性用下着を拡げた状態を示す裏面図である。
【図３】女性用下着の裾除け部の前合わせを掛け止めた状態を示す正面図である。
【図４】女性用下着を着用者が着用する際の左右巻き部と背連結部との関係を模式的に説明する拡大背面図であり、（ａ）は左右巻き部を略Ｘ字状に交差させた状態、（ｂ）は左右巻き部を略一直線状となるように交差させた状態を示す。
【図５】女性用下着の左右巻き部の先端部の処理を模式的に説明する拡大正面図であり、（ａ）は左右巻き部の先端部を結び留めた状態を示し、（ｂ）は左右巻き部を結び留めた後の余った部分を脇に挟み込む処理をした状態を示す。
【発明を実施するための形態】
【実施例】
【００１７】
以下、本発明の実施の形態を、図面を参照して説明する。なお、以下の説明においては、主として和服の下に着用する場合について述べるが、洋服の下に着用することも可能であることは勿論である。
図１及び図２は本実施例の女性用下着１を示す図であり、図１は女性用下着１を拡げた状態を示す表面図、図２は女性用下着１を拡げた状態を示す裏面図である。図３は、女性用下着１について、裾除け部１８の左右ボタン８２Ｌ，８２Ｒを左右ボタンホール６２Ｌ，６２Ｒに取り付けた状態を示す正面図である。なお、図１及び図２については、便宜上、右肩部１３Ｒ及び左肩部１３Ｌを２点鎖線で示す箇所において分断した状態で表しているが、実際には、本実施例では繋がった状態となっている。以下の説明では、女性用下着１を着用した状態の着用者を基準として、前後・左右・上下を表現する。また、女性用下着１を着用した状態の着用者に対面した状態を正面視とする。すなわち、着用者が右手を通す方が右側であり、例えば、図３の正面図においては、逆の左側に表されている。また、図１においては裏通し部５３等を、図２においては表通し部５１等を、図３においては補強布２４、上ポケット部２３、突出部７１等を、便宜上省略して図示している。
【００１８】
図１〜図３に示すように、本実施例の女性用下着１は、着用者の胸部を補正する胸補正部１１と、服の裾の絡みを防ぐ裾除け部１８と、胸補正部１１と裾除け部１８とが一体となるように、これらを繋ぐ接続部１６，１７とからなる。また、女性用下着１にはほつれ防止のパイピング処理が適宜なされているが、便宜上、図示を省略している。
【００１９】
図１及び図２に示すように、接続部１６，１７は、身体の前面側（鳩尾辺り）の前接続部１６と、身体の背面側の後接続部１７とで構成されており、身体の両脇（両側）部分には切り抜くようにして設けられた空間である中開き部Ｙ（図１，３参照）が設けられている。また、図１に示すように、胸補正部１１は、両脇（両側）が開放可能な上開き部Ｘ（左右巻き部１４Ｌ，１４Ｒが分断されていることによる開き部）を有する構成であり、裾除け部１８は、右前に着る着物に合わせて右脇側（右側部）に開閉可能な下開き部Ｚを有する構成である。女性用下着１は、右脇側（右側部）の開き部（上開き部Ｘ、中開き部Ｙ、下開き部Ｚ）を利用して身体を差し込み、後述する左右肩部１３Ｌ，１３Ｒの間に頭部を入れることにより簡単に着用することができる。
【００２０】
また、女性用下着１は、前開きの構成（例えば、従来の前合わせの肌襦袢や上述の特許文献１の「補正着兼肌じゅばん」のような構成）ではない胸補正部１１を有するので、これを左右に強く引っ張って効果的に胸部を補正することができる。よって、胸が帯の上に載ったようになってしまうことを防ぐことができる。さらに、詳細は後述するが、女性用下着１は、巻き締めるように構成された胸補正部１１により着用者の体型に合わせて胸部を補正することができ、紐通し部８４及び通し紐８５を設けた巻きスカート状の裾除け部１８により胴周りも着用者の体型に合わせることができる。また、接続部１６，１７に中開き部Ｙを設けたことにより、帯を締めた際に着用者の体型に合うようにフィットさせることができる。
【００２１】
以下、本実施例の女性用下着１について、胸補正部１１、裾除け部１８、接続部１６，１７の順に説明し、その後、女性用下着１の着用方法について説明する。
【００２２】
＜胸補正部１１＞
まず、胸補正部１１について説明する。
胸補正部１１は、胸部前側を覆う胸被覆部１２と、胸被覆部１２を上方に引き上げる左右肩部１３Ｌ，１３Ｒと、胸被覆部１２を左右方向に引っ張った状態で固定する左右巻き部１４Ｌ，１４Ｒと、左右肩部１３Ｌ，１３Ｒを背中側で連結する背連結部１５とからなる。なお、左右巻き部１４Ｌ，１４Ｒは、胸部を巻き締めるとともに、背中側で背連結部１５に着脱可能に係合するように構成されており、背連結部１５を固定する役割も担うものである。
【００２３】
胸被覆部１２は、左右の乳房を含む胸部前側を覆う覆い部であり、左右の胸の膨らみを上に着る服に合うように整えることができる形状となっている。本実施例の胸被覆部１２は、左右肩部１３Ｌ，１３Ｒと一体的に形成されているが、図１に示す一点鎖線αで分けた下側の略六角形の略平面状の部分であり、両側上部２１の脇くりは浅めで脇高となるように形成されている。左右の乳房全体をサラシと略同様に平面的に押さえることにより、前から見ても、横から見てもきれいな胸のラインを作ることができる。
【００２４】
胸被覆部１２は、着用した際に着用者の胸の膨らみ全体を覆うような大きさに形成されている。具体的には、胸被覆部１２は、その上縁が両脇と略同じ高さに位置し、その下縁が胸骨の下端又は鳩尾の高さに位置するような上下幅となっている。また、胸被覆部１２の両側下部２２（左側下部２２Ｌ、右側下部２２Ｒ）は下方に向かって内側に傾斜しており、左右巻き部１４Ｌ，１４Ｒが斜め下方に延びるように取り付けられている。左右巻き部１４Ｌ，１４Ｒで胸被覆部１２を引き締めることにより、胸の膨らみを上方に押し上げて鎖骨下のくぼみをなくし、胸元をきれいに整えることができる。
【００２５】
胸被覆部１２の裏側には、左右の乳房に対向する位置に、ポケット状の上ポケット部２３が設けられ、体型に合わせて、例えば、胸の小さい人など胸パッドなどの補正部材を出し入れ可能に入れることができるようになっている。また、胸被覆部１２の裏側には、前中心部（略三角形状の部分）と、両側下部２２側から左右巻き部１４Ｌ，１４Ｒの基端側（基端部４１）に架かる部分を補強する補強布２４が設けられている。左右巻き部１４Ｌ，１４Ｒを引っ張った際に裂けてしまうことを防ぐと共に、段差ができないように両脇などをカバーしてすっきりと整えることができる。
【００２６】
なお、本実施例の胸被覆部１２は、上述したように略平面状となるように複数の布部材を縫合して形成されており、着用する際の目安となるように、切り替え線が設けられている。なお、胸部をきれいに補正するために、左右の乳房の中央の切り替え線などにより複数の布部材を立体的に縫合して、適宜、胸被覆部１２に膨らみを持たせてもよく、また、胸被覆部１２の一部（例えば、脇ぐり部分など）に、適宜、伸縮素材を用いることも可能である。なお、切り替え線は図示したものに限らず、適宜設けることができる。
【００２７】
左肩部１３Ｌと右肩部１３Ｒは、それぞれ、胸被覆部１２の左上部と右上部とから背中側に廻り込むように、上方へ延びるように形成された略帯状の肩紐であり、着用者の左肩と右肩に掛けられる。本実施例では、上述のように胸被覆部１２の布部材と一体的に形成されており、胸被覆部１２を上方に引き上げる役目を担っている。左肩部１３Ｌの先端部と右肩部１３Ｒの先端部は、後述する背連結部１５に縫合されており、左肩部１３Ｌと右肩部１３Ｒの間の空隙は、着用者が髪型を整えた頭を容易に通すことができる大きさとなっている。
【００２８】
左巻き部１４Ｌと右巻き部１４Ｒは、胸被覆部１２の左側下部２２Ｌと右側下部２２Ｒから斜め下方に延びるように設けられた、略同形状の略帯状の巻き締め紐であり、胸被覆部１２側の基端側部分である基端部４１と、先端側部分である先端部４３と、その間の交差部４２とからなる。左巻き部１４Ｌと右巻き部１４Ｒは、それぞれ、左右脇下を通って背中側に廻されて交差部４２で交差し、さらに反対側の脇下を通って胸部前側に廻されて、先端部４３が胸部前側又は／及び両脇において固定される。なお、固定する前に、左巻き部１４Ｌと右巻き部１４Ｒを引っ張ることによりこれらの廻り長さを調節し、胸部を補正できるように構成されている。
【００２９】
本実施例においては、一例として、左巻き部１４Ｌと右巻き部１４Ｒを背中側で略Ｘ字状に交差させて引っ張った後に略一直線状に交差させて胸部を巻き締め、両先端部４３を鳩尾付近で結び留められる構成としており、左巻き部１４Ｌと右巻き部１４Ｒは、その長さが胸回り（アンダーバスト）の略１回りから略３／２回り（好ましくは、略９／８回りから略１１／８回り）、その幅が略３ｃｍから略１５ｃｍ（好ましくは、略４ｃｍから略１２ｃｍ）となるように形成されている。長手方向における略中央部分の、幅が狭くなるように形成された交差部４２は、巻き締めた際に背中側又はその近傍に位置する部分である。詳細は後述するが、交差部４２は、背中央部（背中の中央部分）にくる背連結部１５（通し部５１，５３）と係合する部分であるとともに、略Ｘ字状に交差させたり、下側となる一方を上側となる他方の下縁から取り出すようにして略一直線状に交差させたりする部分でもある。
【００３０】
左巻き部１４Ｌ及び右巻き部１４Ｒは、長手方向に延びる中心線を対称の中心として、長手方向の略中央部分に凸状に切り欠くようにして設けられた上側凹部４５ｕと下側凹部４５ｄを有しており(図１参照)、上縁中央部と下縁中央部が曲線状にくびれた狭まり部４５となっている。具体的には、左巻き部１４Ｌ及び右巻き部１４Ｒは、基端部４１の基端側から交差部４２の中央部分４２ｃ基端側に向かって徐々に幅狭になり、交差部４２の中央部分４２ｃは略同幅であり、交差部４２の中央部分４２ｃ先端側から先端部４３の基端側にかけて徐々に幅広となり、先端部４３はその先端側以外が略同幅となるように形成されている。つまり、交差部４２の中央部分４２ｃが最も幅の狭くなるように形成されている。
【００３１】
左巻き部１４Ｌ及び右巻き部１４Ｒの先端部４３の先端は、尖った形状となるように形成されている。詳細は後述するが、着用者は、背中側に手をまわして、左巻き部１４Ｌと右巻き部１４Ｒを背連結部１５（通し孔５２，５４）に通すので、本実施例では、一例として、先端側が略三角形状となるように形成して、先端を差し込みやすくするとともに、この先端側を持って引っ張った際に短手方向の中央に力が掛かりヨレが生じにくくなるような形状としている。なお、詳細は後述するが、先端部４３については、左巻き部１４Ｌ及び右巻き部１４Ｒの固定方法（処理方法）により、適宜、その形状（幅や長さなど）を変更することができる。
【００３２】
背連結部１５は、左肩部１３Ｌ及び右肩部１３Ｒの各先端部を背中側で連結する連結部であり、着脱可能に挿通される左巻き部１４Ｌ及び右巻き部１４Ｒにより位置決めされて、胸被覆部１２を上方へ引き上げることができるような構成となっている。本実施例の背連結部１５は、後述する後接続部１７と一体的に形成されているが、図１に示す一点鎖線βで分けた上側の略扇形形状の部分であり、その上部に左肩部１３Ｌ及び右肩部１３Ｒが縫合されている。また、背連結部１５は、着用者の左右の肩甲骨の間に入るような形状、大きさに形成されている。
【００３３】
背連結部１５の表面と裏面には、対向する位置にテープ状の表通し部（第１通し部）５１と裏通し部（第２通し部）５３が設けられ、それぞれ表通し孔（第１通し孔）５２と裏通し孔（第２通し孔）５４が形成されている。表通し孔（第１通し孔）５２と裏通し孔（第２通し孔）５４には、それぞれ左巻き部１４Ｌと右巻き部１４Ｒのどちらか一方が着脱可能に挿通される。互いに逆方向に向かうように通すため、両方を同じ孔に通すと先に通したものが外れてしまうことがあるが、別々の孔に通すことによりそれを防ぐことができる。また、後述するように、左巻き部１４Ｌと右巻き部１４Ｒは、通し孔５２，５４に挿通された後に、略斜め上方に引っ張られたり、略左右方向に引っ張られるが、左巻き部１４Ｌと右巻き部１４Ｒが直接重ならないようにすることで、着用者が引っ張りやすくなっている。また、巻き締める際には、背連結部１５を左巻き部１４Ｌと右巻き部１４Ｒとで挟み込むことによって、より確実に固定することができ、２つの部材（表通し部５１と裏通し部５３）に係合させることで強度も保つことが可能となる。
【００３４】
ここで、左巻き部１４Ｌ及び右巻き部１４Ｒと、表通し孔５２及び裏通し孔５４との大きさ及び位置関係について、図面を用いて説明する。
図４は、女性用下着１を着用者が着用する際の左巻き部１４Ｌ及び右巻き部１４Ｒと背連結部１５との関係を模式的に説明する拡大背面図であり、（ａ）は左巻き部１４Ｌ及び右巻き部１４Ｒを強く引っ張るために交差させた状態を示し、（ｂ）は左巻き部１４Ｌ及び右巻き部１４Ｒを巻き締めるために交差させた状態を示す。左右巻き部１４Ｌ，１４Ｒを通し孔５２，５４に係合させることにより、胸被覆部１２や背連結部１５を適切な位置で固定することができる。なお、本実施例では、一例として、裏通し部５３に左巻き部１４Ｌ、表通し部５１に右巻き部１４Ｒを通したものを示しているが、この逆でもよく、着用者が通しやすい順序、組み合わせで通すことができる。また、裏通し部５３及び裏通し孔５４の図示は便宜上省略しているが、背連結部１５の裏面の、表通し部５１と重なる位置にある。
【００３５】
表通し孔５２及び裏通し孔５４は、テープ状の表通し部５１及び裏通し部５３の上下端を縫着して設けられた側面視スリット状の長孔であり、その孔幅（上下方向の幅）ｎは、図４に示すように、左巻き部１４Ｌ及び右巻き部１４Ｒの交差部４２の中央部分４２ｃの幅（長手方向に垂直な方向の幅）よりも大きくなるように形成されている。具体的には、図４（ａ）に示すように、表通し孔５２及び裏通し孔５４の孔幅ｎは、左巻き部１４Ｌ及び右巻き部１４Ｒの交差部４２を通した状態で略Ｘ字状に交差させることのできるような大きさに形成されている。左巻き部１４Ｌ及び右巻き部１４Ｒを略Ｘ字状に交差（クロス）させて、それぞれの先端部４３を反対側の手で掴み肩越しに引っ張ることができるので、左巻き部１４Ｌ及び右巻き部１４Ｒの下側部分を引き締めて、胸を上方に引き上げることができる。このような体勢は人間工学上力を加えやすい体勢であり、また、左右巻き部１４Ｌ，１４Ｒの交差部４２（中央部分４２ｃ）は互いに邪魔になることのないように基端部４１よりも幅狭となっているので(図１参照)、着用者は、自身で容易に胸被覆部１２を引き締めることができる。
【００３６】
その後、左巻き部１４Ｌ及び右巻き部１４Ｒは、互いの交差部４２が略一直線上となるように、先端部４３側が肩上方から下方に下ろされ（図４（ｂ）参照）、再度引っ張られて巻き締められる。単に先端部４３側を下方に下ろすだけで互いが重なる（交差部４２が接触した状態となる）ので、摩擦により緩みにくくなり左右巻き部１４Ｌ，１４Ｒの下側部分を引き締めた状態を保ちつつ、再度水平方向に引っ張ることにより、胸の膨らみ全体を押さえるように巻き締めることができる。表通し孔５２及び裏通し孔５４は、図４（ｂ）に示すように、その下端位置が、左巻き部１４Ｌ及び右巻き部１４Ｒを巻き締めた状態における交差部４２の下縁位置と略同じ位置（高さ）となるように、背連結部１５に配設されている。なお、左巻き部１４Ｌ及び右巻き部１４Ｒを巻き締めた際に、交差部４２は肩甲骨の下側を通るような位置となっている。
【００３７】
なお、胸補正部１１には、背連結部１５を下方に引っ張るための引き手部（図示せず）を設けることが望ましい。本実施例の女性用下着１は、胸補正部１１と裾除け部１８とを一体的に形成したものであるので、後述する突出部７１がその役目を担っているが、女性用下着１を胸補正部１１のみの構成とする場合には、これに該当するもの（図示は省略）を背連結部１５の下側に設ければよい。なお、この場合、後述する下ポケット部７２は不要である。左巻き部１４Ｌ及び右巻き部１４Ｒを引き締めたり巻き締めたりする際に、これを適宜下方に引っ張ることにより、背連結部１５を適切な位置（背中央部）にくるようにするとともに、胸被覆部１２を引き上げることができる。
【００３８】
なお、本実施例では、通し部５１，５３を表面と裏面の対向する位置に設けたが、これに限らず、背連結部１５が背中央部にくるように形成されていればよい。例えば、背連結部１５の縦中心線を中心として線対称に設けるなど、左右に位置をずらして設けてもよく、孔の形も適宜変更可能である。また、表面と裏面で通し部５１，５３を上下にずらして設けてもよい。この場合、着用者は、適宜、着用者の体型に合う位置にあるどちらか一方のみを使用すればよい。
さらに、通し部５１，５３の下端の縫着線は、交差部４２に沿うように、中央部が上方に突出するように湾曲した円弧状となるようにしてもよい。また、通し部５１，５３の下端の縫着線を上下に２つ（複数）並列するように設け、着用者が体型に合う方を使用できるようにしてもよい。着用者は、上方の縫着線をほどくことで下方の縫着線を使用することができる。
【００３９】
また、本実施例の背連結部１５においては２つの通し部５１，５３を設けたが、これに限らず、背連結部１５に少なくとも１つの通し孔を設けて、左巻き部１４Ｌと右巻き部１４Ｒの少なくともどちらか一方を挿通させるような構成としてもよい。例えば、背連結部１５自体にスリット（図示せず）を１つ設けて左巻き部１４Ｌと右巻き部１４Ｒのうちの片方を挿通させる構成とすることもできる。また、表通し部５１（又は裏通し部５３）のみを設けて、これに左巻き部１４Ｌと右巻き部１４Ｒの両方を通すようにしてもよい。なお、上述のように略Ｘ字状に交差させることができように構成することが望ましい。
【００４０】
＜裾除け部１８＞
次に、裾除け部１８について説明する。
裾除け部１８は、巻きスカート状に形成された略矩形状の裾除け布であり、裾の絡まりを防ぐためのものである。なお、この裾除け部１８は、洋装などの際にアンダースカートとして着用される下着（ペチコート）に該当する。
裾除け部１８は、後述する係着手段（ボタン８２Ｌ，８２Ｒ及びボタンホール６２Ｌ，６２Ｒ）を掛け留めて輪状にした際に、正面視において（図３参照）、その縦中心線が胸補正部１１及び接続部１６，１７の縦中心線と略同一直線上となるように配設されている。なお、和服は、上前身頃の裾と下前身頃の裾のラインがＸ字状にクロスするように着付けて、腰から裾に向かって細くすぼまっていくように着るのが美しいとされており、裾除け部１８は、着崩れて裾がいわゆる行燈状態（正面視において裾幅が腰幅と同じとなった状態や裾広がりとなった状態）となる虞を軽減するように構成されている。
【００４１】
裾除け部１８は、着用する際に合わせられる下前部８１と上前部８３とを備え、上端側には紐通し部８４が形成され、通し紐８５が挿通されている。下前部８１は、上前部８３よりも幅の狭い略矩形状の合わせ部８１ｘと、合わせ部８１ｘの側端部にその側方に突出するように設けられた、略三角形状の開き止め部８１ｙとを有している。本実施例では、裾除け部１８の長さは、裾が略膝下の位置となるように形成されている。短くすることにより夏でも涼しく着ることができ、裾捌きにも問題のない長さとなっている。また、膝は下半身の細い部分であるので裾があっても表に響きにくい。
【００４２】
裾除け部１８は、上前部８３の横幅が和服の上前身頃と衽の幅（前幅＋衽幅）と略同じ大きさであるのに対し、下前部８１の合わせ部８１ｘの横幅は、これよりも小さく、上前部８３の略半分の大きさとなるように構成されている。合わせ部８１ｘの幅を小さくすることにより、夏など汗をかいても裾が足に絡みにくく、涼しく着ることができる。なお、合わせ部８１ｘの表側左上端部(図３参照)には右ボタン８２Ｒが縫い付けられており、後述する前接続部１６には右ボタンホール６２Ｒが設けられており、これらの係着手段により着脱可能に係止される。
【００４３】
下前部８１には、合わせ部８１ｘの横幅を小さくする代わりに、開き止め部８１ｙが設けられている。開き止め部８１ｙは、合わせ部８１ｘの褄先側を左斜め上方に引いた状態として、褄先が開くのを妨げるように構成されている。具体的には、開き止め部８１ｙは、表側右上端部(図３参照)に縫い付けられた左ボタン８２Ｌを、後述する前接続部１６の左ボタンホール６２Ｌに着脱可能に係着できるように構成されており、これらの係着手段により、褄先が開くのを防ぐことができる。
【００４４】
裾除け部１８の上端部分には、通し紐８５が挿通された紐通し部８４が形成されている。２組の係着手段で下前部８１を前接続部１６に係止した後に、通し紐８５の両端を、通し紐８５の長さを調節して結ぶことにより、着用者の胴周りに合わせることができるようになっている。なお、図１等に示すように、通し紐８５は前接続部１６の左右端部に沿って上下方向に縫着されており、紐通し部８４から抜けないように、かつ、裾除け部１８の前面側に皺ができないように構成されている。
【００４５】
上前部８３は、右側部の上部及び下部が斜めに切り欠かれた切欠き部８３ｃを有しており、右側に向かって縦幅が僅かに幅狭となるように形成されている。また、合わせ部８１ｘは左側部の上部が斜めに切り欠かれた切欠き部８１ｃを有しており、縦幅が僅かに幅狭となるように形成されている。このような切欠き部８１ｃ，８３ｃを設けることにより、係着手段６２，８２で係止したり、通し紐８５を結んだりした際に裾除け部１８自体を裾つぼまりの状態に仕上げることができ、上に着た服（和服など）の着崩れを防ぐことができる。また、裾除け部１８には、適宜上下方向に縫い合わせた縫合部１８ａ（図１参照）を設けており、歩いた際に裾が上がってしまうのを、自重により防ぐように構成されている。なお、この縫合部１８ａの位置や数は、図示したものに限らず、適宜設けることができる。
【００４６】
本実施例では、係着手段として、ボタン８２Ｌ，８２Ｒ及びボタンホール６２Ｌ，６２Ｒを採用し、ボタンホール６２Ｌ，６２Ｒの孔を横向きに設けている。このような構成にすることにより、身体の動きに合わせて、ボタン８２Ｌ，８２Ｒがボタンホール６２Ｌ，６２Ｒ内で適宜動くので、着崩れしにくい。なお、係着手段は、下前部８１を着脱可能に係止できるものであればよく、ボタン８２Ｌ，８２Ｒとボタンホール６２Ｌ，６２Ｒに限らず、例えば、面ファスナーや、スナップボタン、ホック、バックルなどでもよい。また、開き止め部８１ｙは、略三角形状に限らず、合わせ部８１ｘの褄先が開くのを防ぐことができればよく、例えば、略矩形状、略台形状又は略紐状などでもよい。また、開き止め部８１ｙの下部には、合わせ部８１ｘとの縫合部分がほつれるのを防ぐために、力布を設けることが望ましい。
【００４７】
＜接続部１６，１７＞
次に、接続部１６，１７について説明する。
接続部１６，１７は、胸補正部１１と裾除け部１８とを繋ぐ部分であり、胸補正部１１と裾除け部１８とを一体として簡単に着用できるようにするものである。接続部１６，１７は、図１〜図３に示すように、胸補正部１１の胸被覆部１２と裾除け部１８とを繋ぐ前接続部１６と、胸補正部１１の背連結部１５と裾除け部１８とを繋ぐ後接続部１７とからなる。なお、後接続部１７は、図１に一点鎖線βで分けて示した下側の台形形状の部分であり、上述した背連結部１５と一体的に形成されている。
【００４８】
前接続部１６と後接続部１７は、図３に示すように、両脇部分に幅広の略スリット状の空間（中開き部Ｙ）を設けて分断するとともに、正面視において各接続部１６，１７の横幅を、着用者の胴部の横幅よりも小さくなるように構成している。よって、帯を結んだ際に着用者の身体に沿わせることができ、ウエスト周りで接続部１６，１７がもたつくのを防ぐことができる。また、夏など浴衣の下に着ても、涼しく着用することができる。
【００４９】
前接続部１６は略矩形状であるが、その左側縁及び右側縁は直線ではなく、内方に凸状の曲線となっている。すなわち、前接続部１６は、上下方向において身体の胴部と略同様にくびれるように形成されたくびれ部６１を有している。くびれ部６１を設けることにより、帯を締めた際や身体を動かした際に、左側縁や右側縁の中央部分が引っ張られてほころびが生じてしまうことを防ぐことができ、着心地もよく着崩れもしにくくなる。また、前接続部１６の上縁及び下縁の長さ（横幅）をくびれ部６１の横幅より長くすることにより、胸補正部１１と裾除け部１８と繋ぐ強度を保つように構成されている。なお、胸部回りとウエスト周りの長さの差が大きい人は、前接続部１６の中央部前側に、適宜上側から補正パッドを差し入れられるように、ポケット部（図示せず）を設けてもよい。
【００５０】
後接続部１７は、腰の形状に合うように略台形形状であり、上述のように、背連結部１５と一体的に形成されて、略砂時計状（鼓状）の背支持部１９を構成している。背支持部１９も、前接続部１６と同様、ほころびが生じないようなくびれた形状に構成しつつ、身体を動かしやすいように、背骨に沿って配設されている。
【００５１】
背支持部１９の下端部には、背連結部１５（背支持部１９）を下方に引っ張るために下方に突出する半円状の突出部（引き手部）７１が設けられている。この突出部７１は、左巻き部１４Ｌ及び右巻き部１４Ｒを略Ｘ字状に交差させて引き締める際に適宜下方に引っ張ることにより、背支持部１９（背連結部１５）を背中央部に導くことができる。また、左巻き部１４Ｌ及び右巻き部１４Ｒを巻き締める際に適宜下方に引っ張ることにより、胸被覆部１２を引き上げて身体に密着させた状態とすることができる。なお、突出部７１の代わりに、後接続部１７を引っ張ってもよい。
【００５２】
また、突出部（引き手部）７１は、着用者の腰のくぼみに対向する位置にくるように設けられており、その表面側には、出し入れ可能に補正パッドなどの補正部材を入れるためのポケット状の下ポケット部７２が設けられている。腰のくぼみを埋めることにより、結んだ帯の垂れの先端部（下端部）である垂れ先が跳ね上がるのを防ぐことができる。なお、突出部７１はめくれ上がらないように裾除け部１８の紐通し部８４の下側で縫着されている。
【００５３】
＜女性用下着１の着用方法＞
ここで、本実施例の女性用下着１の着用方法について説明する。
図５は、女性用下着１を着用する際の左巻き部１４Ｌ及び右巻き部１４Ｒの先端部４３の処理を模式的に説明する拡大正面図であり、（ａ）は左巻き部１４Ｌ及び右巻き部１４Ｒの先端部４３を結び留めた状態を示し、（ｂ）は左巻き部１４Ｌ及び右巻き部１４Ｒを結び留めた後の余った部分(先端部４３の先端側部分)を脇に挟み込む処理をした状態を示す。
【００５４】
まず、着用者は女性用下着１の右脇の開き部（上開き部Ｘ、中開き部Ｙ及び下開き部Ｚ）を利用して身体を差し入れ、胸補正部１１の左右肩部１３Ｌ，１３Ｒの間から頭部を出す。次に、裾除け部１８を整える。具体的には、裾除け部１８の左右ボタン８２Ｌ，８２Ｒを、前接続部１６の左右ボタンホール６２Ｌ，６２Ｒに掛け止めて、通し紐８５の両端をウエストに緩めに合わせて長さ調節して結ぶ。
【００５５】
次に、左巻き部１４Ｌと右巻き部１４Ｒを、それぞれ裏通し部５３と表通し部５１に通して、胸補正部１１を整えていく。上述したように、左右巻き部１４Ｌ，１４Ｒと左右通し部５１，５３の組み合わせや、通す順序は限定されるものではないが、例えば、右利きの人であれば、先に通しにくい左巻き部１４Ｌを裏通し部５３に挿通してその先端部４３を左肩に掛けておき、その後左巻き部１４Ｌが抜けないようにしながら、右巻き部１４Ｒを表通し部５１に挿通してその先端部４３を右肩に掛けるようにするとよい。なお、着用者は、先に、左巻き部１４Ｌ又は／及び右巻き部１４Ｒを通し部５１，５３に緩く通してから、左巻き部１４Ｌ又は／及び右巻き部１４Ｒの間をくぐるようにして身体を差し入れて着用することもできる。
【００５６】
次に、胸被覆部１２で胸全体を覆うように、胸被覆部１２の下縁が胸の膨らみの下端縁よりも下側にくるようにする。そして、左巻き部１４Ｌの先端部４３を右手で、右巻き部１４Ｒの先端部４３を左手で持って、背中側で略Ｘ字状に交差するように（図４（ａ）参照）、斜め上方に軽く引き上げる。そして、両先端部４３を左手（一方の手）で持ち、右手（他方の手）を背中に廻して突出部７１を下方に引っ張って、背連結部１５（背支持部１９）を身体の背中央部に持ってくる。これにより、左右肩部１３Ｌ，１３Ｒも適切な位置とすることができる。
【００５７】
次に、再び、略Ｘ字状に交差させた先端部４３を元の手で持ち、強く斜め上方に引っ張り上げる。この際、両方の手を少し背中側（後方）に持っていき、両交差部４２と背連結部１５との間にそれぞれ隙間ができるようにすると楽に引っ張ることができる。また、先端部４３を斜め上方に引っ張ることにより、胸被覆部１２の下部側を締めるとともに、上部側に空間を作ることができる。この空間を利用して、胸の膨らみを整え、胸の膨らみを上方に持ち上げることができる。
【００５８】
次に、斜め上方に引き上げた手を下げていき、交差部４２が略一直線上で交差するようにして（図４（ｂ）参照）、水平方向に巻き締める。今度は、先端部４３を水平方向に引っ張り、胸被覆部１２の中央部及び上部側にも力を加えるので、上方に持ち上げた胸の膨らみ全体を押し潰すことができる。そして、各先端部４３を、脇下を通して前方（鳩尾付近）へ持ってくる。そして、両先端部４３を左手で上から持つように持ち替えて、右手を背中に廻して突出部７１を下方に引っ張って、背支持部１９を整えるとともに胸被覆部１２を上方へ引き上げる。胸の膨らみを左右肩部１３Ｌ，１３Ｒにより上方に引き上げ肩下（鎖骨下）のくぼみをなくすことにより、服の着姿を美しくすることができる。
【００５９】
次に、左巻き部１４Ｌ及び右巻き部１４Ｒを、胸の膨らみの下側を覆うようにして胸部前側中央に持っていき、先端部４３側を使って固定する。本実施例では、図５（ａ）に示すように左右巻き部１４Ｌ，１４Ｒの先端部４３を鳩尾の上側（左右乳房の下側の間）に本結びにして結び留め、図５（ｂ）に示すように余った部分をそれぞれ胸の膨らみの下側に沿うように引っ張って脇に持っていき胸被覆部１２の脇部分に挟み込んで（折り込んで）さらに固定する。本実施例では、左右巻き部１４Ｌ，１４Ｒの先端部４３の幅を交差部４２よりも太くして、胸の膨らみを押さえるとともに、挟み込んだ部分が摩擦で外れにくくなるように構成している。なお、本結びにする部分の幅は、結んだ際に結び目が、両胸の膨らみの間を埋める程度の大きさとなるように形成されている。
【００６０】
なお、左巻き部１４Ｌ及び右巻き部１４Ｒの先端部４３側の固定方法は、上述のものに限らず、巻き締めた左右巻き部１４Ｌ，１４Ｒが緩まないように固定できるものであればよく、種々考えられる。例えば、結んだ後の余った部分を、腰紐のように巻き締めた部分に挟み込むようにしてもよい。この場合は、左右巻き部１４Ｌ，１４Ｒの先端部４３は、上述のような幅広とせず、交差部４２と略同幅となるように形成することが望ましい。また、結び方も二回結び（本結び）ではなく、一回結ぶだけにしてもよい。さらに、結ばずに胸の膨らみの下側で交差させて、両脇などに挟み込んで固定するようにしてもよい。なお、固定手段として面ファスナーや複数のホックなどの係着手段を使用して、胸周りに対応させて巻き締め長さ（係止位置）を調節可能とすることも考えられる。例えば、結び留めたり、挟み込んだりする代わりに、係着手段を胸の膨らみの下側(例えば、鳩尾付近)に設ければ、表布にひびくことがないように容易に固定することができる。
【００６１】
また、引っ張り強さや巻き方は着用者の体型や好みなどに合わせて、適宜選択すればよく、胸の膨らみの小さい人は、上ポケット部２３に補正パッドを入れて胸の膨らみ具合を調節することができ、また、先端部４３の結び目が胸の間に隠れない場合には結ばずに処理することができる。また、胸の膨らみの大きすぎる人は、あまり上方に引き上げなくても押さえるだけで補正することができる。
【００６２】
本発明の女性用下着１によれば、腰紐などの他の着付け用の部材を必要とせず、少ない部品による簡単な構成で、和服や洋服などの服（上着や中着）を着た際に、その着姿を美しく見せるとともに、着崩れを防ぐことができる。特に、胸補正部１１は、着用者が自分の体型に合わせて胸部を容易に整えられるような構成となっており、胸被覆部１２と左右巻き部１４Ｌ，１４Ｒとで胸部を巻き締めることにより胸部を適宜補正することができ、優れた着用性も有するものである。また、左右肩部１３Ｌ，１３Ｒが連結された背連結部１５と左右巻き部１４Ｌ，１４Ｒとを、通し部５１，５３を用いて係合させることによって、胸被覆部１２を上方及び左右方向に引っ張っても耐え得る強度を有するものとして、効果的に胸を押さえることができる。また、巻き締める部分が胸部の一番細い部分となるのでずり上がることがなく、左右肩部１３Ｌ，１３Ｒによってずり下がることもなく、着崩れしにくい。
【００６３】
左右巻き部１４Ｌ，１４Ｒの略中央部には交差部４２が設けられている。脇高の基端部４１に比べて幅が狭くなるように形成した交差部４２により、左巻き部１４Ｌと右巻き部１４Ｒとを背中側で略一直線状となるように交差させて、胸補正部１１(胸被覆部１２、左右巻き部１４Ｌ，１４Ｒ)で胸周りを略二周巻き締めることによりサラシと略同様の効果を得ることが可能となる。また、背中側で略Ｘ字状に交差させることが可能であり、左巻き部１４Ｌと右巻き部１４Ｒとを斜め上方に引っ張ることにより、容易に胸部を引き締め、上方に胸の膨らみを引き上げて鎖骨下のくぼみをなくし、服に合うように上半身を整えることができる。さらに、通し孔５２，５４の幅（上下幅）を交差部４２の幅（上下幅）よりも大きく形成することにより、左巻き部１４Ｌ又は／及び右巻き部１４Ｒを挿通させた状態で、これらを略Ｘ字状に交差させたり、略水平に（略一直線状となるように）交差させたりすることができる。
【００６４】
また、背連結部１５の表面と裏面に、それぞれ通し部５１，５３を設ければ、左右巻き部１４Ｌ，１４Ｒを片方ずつ通すことにより引っ張りやすくすることができ、これらを巻き締めた際には背連結部１５を挟み込むことができる。また、背連結部１５の下方に引き手部（突出部７１など）を設ければ、これを適宜下方に引っ張ることにより、背連結部１５の形状を整えたり、胸の膨らみを上方に引き上げたりすることができる。
【００６５】
本実施例の場合、左右巻き部１４Ｌ，１４Ｒには狭まり部４５が形成されている。狭まり部４５のくびれ（上側凹部４５ｕや下側凹部４５ｄ）により、左右巻き部１４Ｌ，１４Ｒを強く引っ張っても、胸被覆部１２の下縁や左右巻き部１４Ｌ，１４Ｒの上下縁が身体に食い込むことを防ぐことができる。また、胸補正部１１は、左右巻き部１４Ｌ，１４Ｒで巻き締めた際に、両交差部４２と胸の膨らみの位置が略同じ高さとなるように、また、交差部４２の幅が胸の膨らみを押さえることができるような大きさに形成されている。
【００６６】
具体的には、左右巻き部１４Ｌ，１４Ｒの長手方向に延びる中心線は、基端部４１、交差部４２、先端部４３の幅方向の略中央を通るような構成となっており、両巻き部１４Ｌ，１４Ｒの基端部４１の幅方向の中央を結ぶ線が、胸の膨らみの上下方向の略中央部分にくるように、胸被覆部１２が形成されている。つまり、交差部４２の延長線上に、胸の膨らみがくるので強い力を加えることができ、胸の膨らみを確実に、また、容易に押さえることが可能である。
【００６７】
さらに、左右巻き部１４Ｌ，１４Ｒの先端部４３は、胸の膨らみの下側の空間を上手く利用して処理することができる。先端部４３を胸の下側で結ぶことにより、胸を上方に持ち上げることができ、胸を平面的に整えられるので、表布にひびくことなく整えることができる。
【００６８】
女性用下着１によれば、片脇に開き部Ｘ，Ｙ，Ｚを設けたので、容易に着用することができる。接続部１６及び背支持部１９が身体に沿うようにくびれた形状なので、着心地よく着用することができる。また、左右巻き部１４Ｌ，１４Ｒが、胸被覆部１２又は／及び前接続部１６に重なった状態で固定されるので（図５（ａ）参照）、ズレを防いだり、着用者の身体に結び目が直接当たるのを防ぐことができる。また、裾除け部１８においては、合わせ部８１ｘの幅を狭くしても、開き止め部８１ｙにより、裾が肌蹴てしまうのを防ぐことができるので着崩れしにくい。
【００６９】
なお、女性用下着１の各部の形状、大きさ、構成等は上述した実施の形態に限定されず、胸部を巻き締められる構成であれば、本発明の要旨を逸脱しない範囲で種々変更できることは勿論である。本実施例では、胸補正部１１と、接続部１６，１７と、裾除け部１８を一体化した構成としているが、これに限らず、胸補正部１１のみにより構成されたものとすることもできる。この場合、左右巻き部１４Ｌ，１４Ｒが胸被覆部１２に重なった状態で固定できる（結び留められる）ように、例えば、胸被覆部１２の下端縁が胸の膨らみの下側よりも、例えば、１ｃｍから３ｃｍ下がった位置にくるようにすることが望ましい。
【００７０】
また、本実施例では、図１などに示すように、胸被覆部１２を略平面状として、胸部の骨格形状や胸の膨らみに対応できるように、胸被覆部１２の両側下部２２から斜め下方に延びるように左右巻き部１４Ｌ，１４Ｒを取り付けているが、これに限らず、胸被覆部１２の形状に合わせて、左右巻き部１４Ｌ，１４Ｒの延びる方向を適宜変更することができる。例えば、胸被覆部１２の両側下部２２から水平方向に延びるように左右巻き部１４Ｌ，１４Ｒを取り付けてもよい。
【００７１】
さらに、左巻き部１４Ｌと右巻き部１４Ｒの各部４１，４２，４３の幅や長さは、水平方向に（図４（B）参照）交差させて胸部を巻き締めることができるように構成されていればよく、上述のものに限らない。例えば、着用する際に、左巻き部１４Ｌと右巻き部１４Ｒを略Ｘ字状に交差させることなく、単に水平方向に巻き締めるように構成してもよい。この場合は、通し孔５２，５４の孔幅ｎを交差部４２の中央部分４２ｃの幅と略同じ大きさとすることができる。なお、孔幅ｎは、交差部４２だけでなく、先端部４３の幅も考慮して、先端部４３を通しやすいような大きさとすることも望ましい。また、左巻き部１４Ｌと右巻き部１４Ｒは、特に先端部４３の固定方法をどのような構成とするかによって、適宜、長さや形状を決めることができ、また、逆に様々な固定方法を取れるような汎用性を有する形状とすることも好ましい。さらに、左巻き部１４Ｌと右巻き部１４Ｒのいずれか一方又は両方の一部分（又は全部）を伸縮性のある素材として、着用性を高めてもよい。
【００７２】
本実施例においては、左肩部１３Ｌ及び右肩部１３Ｒを分断できない構成としているが、頭部を入れやすくするために右肩部１３Ｒを着脱可能に分断できる構成としたり、背連結部１５との連結部分（本実施例においては、縫合処理されている箇所）を着脱可能に分断できる構成としてもよい。また、左肩部１３Ｌ及び右肩部１３Ｒの長さ、前接続部１６や背支持部１９（背連結部１５、後接続部１７）の長さを身体に合わせて、適宜調節できるようにしてもよい。例えば、左肩部１３Ｌ及び右肩部１３Ｒを、長さを調節して背連結部１５に連結できるようにしてもよいし、左肩部１３Ｌ及び右肩部１３Ｒ自体を長さ調節可能に分断できる構成としてもよい。また、適宜調節機構を設けることも望ましい。なお、表布にひびかないように、面ファスナーやボタン、ホックなどの着脱可能な係着手段を、身体のくぼんでいる箇所に位置するように設けて調節可能とすることが好ましい。
【００７３】
本発明の女性用下着１は、胸補正部１１と接続部１６，１７には両脇に開き部Ｘ，Ｙが設けられており、裾除け部１８は開き部Ｚを有する巻きスカート状であるので、身体周りのサイズが異なる場合でも着用でき、上半身を補正することが可能である。また、裾除け部１８の紐通し部８４は必ずしも着用者のウエスト部分にくる必要はなく、身長の異なる場合でも胸補正部１１の巻き締め位置を上下にずらして補正することが可能である。また、裾除け部１８は通し紐８５でウエストの長さを調節する構成となっているが、巻きスカートと同様に、ボタンやホックなどの係着手段で着脱可能に固定（又は／及び調節）する構成としてもよい。なお、一般的な衣類同様、身長などに合わせて適宜サイズ展開することも好ましい。
【００７４】
女性用下着１は、天然繊維又は／及び化学繊維を素材とした布部材から構成されている。具体的には、胸補正部１１と接続部１６，１７は、汗を吸い取ることができ、巻き締めた際に所望の摩擦力を発揮する繊維や生地を使用した布部材、例えば、綿素材の布などであり、適宜部分的に伸縮性のある生地を使用することができる。裾除け部１８は、静電気が発生しにくく、吸湿性や滑りの良い繊維を使用した布部材、例えば、キュプラなどの生地を使用することができる。なお、これに限らず、その機能に合わせて、適宜、生地を選択することができる。
【産業上の利用可能性】
【００７５】
本発明の女性用下着は、胸の膨らみを補正するためのものあれば、下着以外の他の衣服などにも応用することができる。
【符号の説明】
【００７６】
１    女性用下着
１１    胸補正部
１２    胸被覆部
１３Ｌ  左肩部
１３Ｒ  右肩部
１４Ｌ  左巻き部
１４Ｒ  右巻き部
１５    背連結部
１６    前接続部（接続部）
１７    後接続部（接続部）
１８    裾除け部
１９    背支持部（背連結部と後接続部）
４１    基端部
４２    交差部
４３    先端部
４５    狭まり部
５１    表通し部（係合部、第１通し部）
５２    表通し孔（第１通し孔）
５３    裏通し部（係合部、第２通し部）
５４    裏通し孔（第２通し孔）
６１    くびれ部
６２Ｌ  左ボタンホール（係着手段）
６２Ｒ  右ボタンホール（係着手段）
７１    突出部（引き手部）
８１    下前部
８１ｘ  合わせ部
８１ｙ  開き止め部
８２Ｌ  左ボタン（係着手段）
８２Ｒ  右ボタン（係着手段）
８３    上前部
８４    紐通し部
８５    通し紐
Ｘ    上開き部
Ｙ    中開き部
Ｚ    下開き部
【図１】
2018123440.tif 000003
【図２】
2018123440.tif 000004
【図３】
2018123440.tif 000005
【図４】
2018123440.tif 000006
【図５】
2018123440.tif 000007